(57)【要約】      （修正有）【課題】作業現場において、黒板イメージに画像を容易に取り込むことができる情報処理装置及び情報処理システムを提供する。【解決手段】タブレット装置１１の黒板イメージ作成処理部Ｐｒ１３は、表示部３６に黒板イメージ作成画面を形成し、黒板イメージ作成画面に黒板枠を形成し、黒板枠内に文字及び画像で表される黒板データを書き込み、黒板イメージを作成する。【効果】作業現場において黒板イメージに画像を容易に取り込むことができる。作業現場における作業の進捗状況を施工主に報告する際の作業を簡素化することができる。【選択図】図１
2019109596.tif 000002
【特許請求の範囲】
【請求項１】
（ａ）表示部と、
（ｂ）該表示部に黒板イメージ作成画面を形成し、該黒板イメージ作成画面に黒板枠を形成し、該黒板枠内に文字及び画像で表される黒板データを書き込み、黒板イメージを作成する黒板イメージ作成処理部とを有することを特徴とする情報処理装置。
【請求項２】
前記黒板枠に、画像で表される黒板データを書き込むための複数の欄が形成される請求項１に記載の情報処理装置。
【請求項３】
前記黒板イメージ作成処理部は、操作者が黒板イメージ作成画面に表示された画像の所定の箇所を選択したときに、作業現場において設定された確認ポイントを表す画像に対応させて生成された画像を黒板枠の欄に書き込む請求項１又は２に記載の情報処理装置。
【請求項４】
前記黒板イメージ作成処理部は、確認ポイントを表す画像に対応させて生成された画像が黒板イメージ作成画面に表示された画像のどの部分のものであるかを表す画像を黒板枠の欄に書き込む請求項３に記載の情報処理装置。
【請求項５】
前記黒板イメージ作成画面に表示された画像は作業現場の図面である請求項３又は４に記載の情報処理装置。
【請求項６】
前記黒板イメージ作成処理部は、作業現場において設定された確認ポイントを表す画像に対応させて生成された画像の特定の箇所を指示する指示符号を黒板枠の欄に書き込む請求項３に記載の情報処理装置。
【請求項７】
前記表示部に撮影画面を形成し、該撮影画面の所定の箇所に前記黒板イメージを表示し、操作者が確認ポイントの映像の上に黒板イメージを重ねて確認対象物を撮影するのに伴って、確認対象物の写真及び黒板イメージから成る工事写真を作成する工事写真作成処理部を有する請求項１〜６のいずれか１項に記載の情報処理装置。  
【請求項８】
（ａ）前記表示部に図面表示画面を形成し、該図面表示画面に図面を表示する図面表示処理部を有するとともに、
（ｂ）前記黒板イメージ作成処理部は、前記図面表示画面に工事写真の表示エリアを形成し、
（ｃ）前記工事写真作成処理部は、前記表示エリアに工事写真を表示する請求項７に記載の情報処理装置。
【請求項９】
（ａ）前記図面の所定の箇所に指標を表示する指標表示処理部を有するとともに、
（ｂ）前記黒板イメージ作成処理部は、指標に対応させて前記表示エリアを形成する請求項８に記載の情報処理装置。
【請求項１０】
前記指標表示処理部は、指標と表示エリアとを引出線で結ぶ請求項９に記載の情報処理装置。
【請求項１１】
前記工事写真作成処理部は、工事写真のデータをデータ記憶部に記録する請求項７〜１０のいずれか１項に記載の情報処理装置。
【請求項１２】
前記工事写真作成処理部は、工事写真のデータを、ネットワークを介して接続されたサーバ装置の記憶部に記録する請求項８に記載の情報処理装置。
【請求項１３】
前記工事写真作成処理部は、工事写真のデータをサーバ装置の記憶部から読み出し、表示エリアに工事写真を表示する請求項１２に記載の情報処理装置。
【請求項１４】
前記請求項１〜１１のいずれか１項に記載の情報処理装置とサーバ装置とがネットワークを介して接続されることを特徴とする情報処理システム。
【発明の詳細な説明】
【技術分野】
【０００１】
本発明は、情報処理装置及び情報処理システムに関するものである。
【背景技術】
【０００２】
従来、建築現場、工事現場、測量現場等の作業現場、例えば、建築現場においては、建築現場の管理者が、工事名、日付等の工事情報が記載された黒板を建築現場に設置し、黒板及び建築現場をカメラで撮影し、撮影した写真を他の書類と共に施工主に提出することによって、作業の進捗状況を報告するようになっている。
【０００３】
ところが、黒板を作成し、持ち運び、建築現場に設置したり、黒板及び建築現場を撮影したりする作業が煩わしい。
【０００４】
そこで、情報処理装置としてのタブレット装置を使用して、黒板を電子化して黒板イメージを作成するとともに、タブレット装置の電子カメラで建築現場を撮影して写真データを生成し、黒板イメージと写真データとを合成した工事写真のデータを、ネットワークを介して接続されたサーバ装置に送信し、工事写真を他の書類と共に施工主に提出するようにした情報処理システムが提供されている（例えば、特許文献１参照。）。
【先行技術文献】
【特許文献】
【０００５】
【特許文献１】特許第５８３５７８０号公報
【発明の概要】
【発明が解決しようとする課題】
【０００６】
しかしながら、前記従来のタブレット装置においては、黒板イメージに、工事名、日付等の文字で表される工事情報だけが書き込まれるので、作業の進捗状況を施工主に詳細に報告することができない。
【０００７】
そこで、例えば、文字のほかに、黒板イメージに建築現場の図面の画像を取り込み、作業の進捗状況を図面を使用して施工主に報告しようとすると、建築現場の図面を印刷し、印刷された図面を黒板に貼り、黒板を撮影する必要があり、そのための作業が煩わしい。
【０００８】
また、建築現場において、黒板イメージに建築現場の図面の画像を取り込もうとすると、建築現場の図面を事務所等から取り寄せる必要があり、そのための作業が一層煩わしい。
【０００９】
本発明は、前記従来のタブレット装置の問題点を解決して、作業現場において、黒板イメージに画像を容易に取り込むことができる情報処理装置及び情報処理システムを提供することを目的とする。
【課題を解決するための手段】
【００１０】
そのために、本発明の情報処理装置においては、表示部と、該表示部に黒板イメージ作成画面を形成し、該黒板イメージ作成画面に黒板枠を形成し、該黒板枠内に文字及び画像で表される黒板データを書き込み、黒板イメージを作成する黒板イメージ作成処理部とを有する。
【発明の効果】
【００１１】
本発明によれば、情報処理装置においては、表示部と、該表示部に黒板イメージ作成画面を形成し、該黒板イメージ作成画面に黒板枠を形成し、該黒板枠内に文字及び画像で表される黒板データを書き込み、黒板イメージを作成する黒板イメージ作成処理部とを有する。
【００１２】
この場合、黒板イメージ作成画面に形成された黒板枠内に、文字及び画像で表される黒板データを書き込むことができるので、作業現場において、黒板イメージに画像を容易に取り込むことができる。したがって、作業現場における作業の進捗状況を施工主に報告する際の作業を簡素化することができる。
【図面の簡単な説明】
【００１３】
【図１】本発明の第１の実施の形態におけるタブレット装置の制御ブロック図である。
【図２】本発明の第１の実施の形態における情報処理システムの概念図である。
【図３】本発明の第１の実施の形態におけるサーバ装置の制御ブロック図である。
【図４】本発明の第１の実施の形態におけるタブレット装置の動作を示すフローチャートである。
【図５】本発明の第１の実施の形態における表示部に形成される図面表示画面の例を示す図である。
【図６】本発明の第１の実施の形態における図面表示画面に形成された表示エリアの例を示す図である。
【図７】本発明の第１の実施の形態における黒板イメージを作成する際の黒板イメージ作成画面の例を示す図である。
【図８】本発明の第１の実施の形態における黒板データテーブルの例を示す図である。
【図９】本発明の第１の実施の形態における工事写真撮影画面の例を示す図である。
【図１０】本発明の第２の実施の形態におけるタブレット装置の動作を示すフローチャートである。
【図１１】本発明の第３の実施の形態におけるタブレット装置の制御ブロック図である。
【図１２】本発明の第３の実施の形態におけるタブレット装置の動作を示すフローチャートである。
【図１３】本発明の第３の実施の形態における表示部に形成される図面表示画面の例を示す図である。
【発明を実施するための形態】
【００１４】
以下、本発明の実施の形態について図面を参照しながら詳細に説明する。この場合、情報処理装置としての、かつ、携帯型の端末装置としてのタブレット装置とサーバ装置とがネットワークを介して接続された情報処理システムについて説明する。
【００１５】
図２は本発明の第１の実施の形態における情報処理システムの概念図である。
【００１６】
図において、１０は情報処理システム、１１はタブレット装置、１２はサーバ装置、ＤＢは該サーバ装置１２に配設された第１の記憶部としての図面データベースである。該図面データベースＤＢには、建築現場、工事現場、測量現場等の作業現場、本実施の形態においては、建築物の見取り図から成り、建築現場を表す複数の図面のデータ、すなわち、図面データＤｔｉ（ｉ＝１、２、…）、及び各図面データＤｔｉに付属する情報、すなわち、付属情報が記録される。
【００１７】
本実施の形態においては、付属情報として、あらかじめ作成された後述される各種の黒板デザインから成る黒板デザインテーブル、各建築現場においてあらかじめ設定された確認ポイントごとに作成された黒板データから成る黒板データテーブル等の黒板情報が図面データベースＤＢに記録される。
【００１８】
前記図面データＤｔｉは、設計者によって設計され、例えば、Ａ０判、Ａ１判等の大判の用紙に作成された設計図面、すなわち、元図を、ＣＡＤデータ、ＪＰＥＧデータ、ＰＤＦデータ等のデータ形式でデータ化することによって作成される。
【００１９】
また、ｄｓ１は、タブレット装置１１に形成された図面表示用の画面、すなわち、図面表示画面、ｇｒｓは、図面データＤｔｉのうちの所定の図面データＤｔｓに基づいて前記図面表示画面ｄｓ１に表示された所定の建築現場を表す図面である。該図面ｇｒｓは元図と同じ内容を有する。
【００２０】
前記タブレット装置１１及びサーバ装置１２は、インターネット等のネットワークＮｔを介して接続され、情報処理システム１０を構成し、タブレット装置１１とサーバ装置１２との間で各種のデータの送受信が行われる。
【００２１】
前記情報処理システム１０を利用することによって、建築現場における作業者であるタブレット装置１１の操作者は、図面表示画面ｄｓ１に表示された前記図面ｇｒｓに基づいて所定の確認箇所において確認対象物について確認を行い、必要に応じて、タブレット装置１１に搭載された後述される撮像装置としての電子カメラ４５（図１）で建築現場、確認対象物等を撮影し、確認の内容、すなわち、確認事項及び写真を図面データベースＤＢに記録することができる。
【００２２】
そのために、建築現場の管理者は、建築現場において所定の確認を行う確認箇所を確認ポイントとして設定し、確認ポイントにおける確認対象物に対する確認事項を設定する。
【００２３】
前記タブレット装置１１としては、建築現場に持ち込むことができるように、薄型で、比較的軽量であり、かつ、携帯するのに適した寸法のものが使用される。本実施の形態においては、情報処理装置としてタブレット装置１１が使用されるが、タブレット装置１１に代えて、ノートパソコン、携帯電話、スマートフォン、ＰＤＡ等の、ネットワークＮｔに接続することができ、ネットワークＮｔを介して図面データベースＤＢにアクセス（接続）することができる装置を使用することができる。
【００２４】
次に、サーバ装置１２について説明する。
【００２５】
図３は本発明の第１の実施の形態におけるサーバ装置の制御ブロック図である。
【００２６】
サーバ装置１２は、制御部としてのＣＰＵ（中央演算処理装置）２１、第２の記憶部としてのＲＯＭ（ＲＥＡＤ  ＯＮＬＹ  ＭＥＭＯＲＹ：読取専用メモリ）２３、第３の記憶部としてのＲＡＭ（ＲＡＮＤＯＭ  ＡＣＣＥＳＳ  ＭＥＭＯＲＹ：読書自在メモリ）２４、通信部２５、表示部２６、操作部２７、第１の記憶媒体としての記憶装置１３等を備える。
【００２７】
前記ＣＰＵ２１は、ＲＯＭ２３に記録された各種のプログラムに従ってサーバ装置１２の全体の制御（情報処理）を行う。また、ＣＰＵ２１は、記憶装置１３の図面データベースＤＢに記録された前記図面データＤｔｉの管理を行う図面管理処理部Ｐｒ１を備える。該図面管理処理部Ｐｒ１は、タブレット装置１１からの要求に応じて、図面データベースＤＢから建築現場の図面データＤｔｓを読み出し、該図面データＤｔｓを付属情報と共に通信部２５を介してタブレット装置１１に送信する。
【００２８】
前記ＲＯＭ２３には、ＣＰＵ２１によって実行される各種のプログラム、例えば、前記図面管理処理部Ｐｒ１が図面管理処理を行うためのプログラム、該プログラムを実行するために必要なパラメータ等が記録される。
【００２９】
前記ＲＡＭ２４は、ＣＰＵ２１が各種の処理を行う際にデータを一時的に記録するバッファとして機能するとともに、ＣＰＵ２１が各種の処理を行う際のワーキングメモリとして機能する。
【００３０】
前記通信部２５は、サーバ装置１２をネットワークＮｔに接続するための通信用インタフェースである。
【００３１】
前記表示部２６は、液晶ディスプレイ等から成る表示デバイスであり、図面データベースＤＢに記録された図面データＤｔｉの各元図を表示したり、タブレット装置１１に送信する図面データＤｔｓの図面ｇｒｓを表示したりする。
【００３２】
前記操作部２７は、キーボード、マウス等から成る入力デバイスであり、操作者が操作部２７を操作することによって、ＣＰＵ２１に所定の事項が入力される。
【００３３】
前記記憶装置１３は、ハードディスク等の大容量記憶媒体から成り、記憶装置１３に前記図面データベースＤＢが形成される。該図面データベースＤＢには、前述されたように、前記図面データＤｔｉ及び付属情報が記録される。
【００３４】
なお、前述されたように、本実施の形態においては、情報処理装置としてタブレット装置１１が使用されるが、情報処理装置としてスマートフォンが使用される場合、スマートフォンを使用して図面データベースＤＢから図面データＤｔｓを取得しようとすると、スマートフォンは、表示部の画面が小さく、操作部にキーボード等を備えていないので、操作性が低く、図面データベースＤＢにおいて図面データＤｔｉを検索する際の効率が低くなり、図面データＤｔｓを取得するまでに長い時間がかかる。そこで、情報処理装置としてスマートフォンを使用する場合、操作者は、サーバ装置１２の操作部２７を操作することによって図面データＤｔｓをスマートフォンに送信することができる。
【００３５】
次に、タブレット装置１１について説明する。
【００３６】
図１は本発明の第１の実施の形態におけるタブレット装置の制御ブロック図である。
【００３７】
タブレット装置１１は、制御部としてのＣＰＵ３１、第４の記憶部としてのＲＯＭ３３、第５の記憶部としてのＲＡＭ３４、通信部３５、表示部３６、操作部３７、電子カメラ４５、第２の記憶媒体としての大容量の記憶装置４６等を備える。該記憶装置４６は、第１のデータ記憶部としての図面データ記憶部４８、及び第２のデータ記憶部としての付属情報記憶部５０を備える。
【００３８】
前記ＣＰＵ３１は、情報取得処理部Ｐｒ１１、図面表示処理部Ｐｒ１２、黒板イメージ作成処理部Ｐｒ１３、工事写真作成処理部Ｐｒ１４等を備え、前記ＲＯＭ３３に記録された各種のプログラムに従ってタブレット装置１１の全体の制御を行う。
【００３９】
なお、ＲＯＭ３３には、情報取得処理部Ｐｒ１１が情報取得処理を行うためのプログラム、図面表示処理部Ｐｒ１２が図面表示処理を行うためのプログラム、黒板イメージ作成処理部Ｐｒ１３が黒板イメージ作成処理を行うためのプログラム、工事写真作成処理部Ｐｒ１４が工事写真作成処理を行うためのプログラム等が記録される。
【００４０】
前記情報取得処理部Ｐｒ１１は、タブレット装置１１がサーバ装置１２（図２）に接続されている状態で、図面データベースＤＢから、図面データＤｔｉのうちの所定の図面データＤｔｓを取得する。そのために、操作者が、タブレット装置１１のメニュー画面で情報取得を選択し、操作部３７を操作し、所定の検索条件を入力してサーバ装置１２に図面データＤｔｉの検索を指示すると、サーバ装置１２の前記図面管理処理部Ｐｒ１は、図面データＤｔｉを検索し、検索条件が成立する図面データＤｔｓを出力し、対応する付属情報と共にタブレット装置１１に送信する。
【００４１】
そして、前記情報取得処理部Ｐｒ１１は、サーバ装置１２から図面データＤｔｓ及び付属情報を取得すると、前記記憶装置４６の図面データ記憶部４８に図面データＤｔｓを記録し、付属情報記憶部５０に、図面データＤｔｓに対応する付属情報、すなわち、黒板デザインテーブル、黒板データテーブル等の黒板情報を記録する。
【００４２】
操作者がタブレット装置１１のメニュー画面で図面表示を選択すると、前記図面表示処理部Ｐｒ１２は、表示部３６に前記図面表示画面ｄｓ１（図２）を形成し、図面データ記憶部４８から図面データＤｔｓを読み出し、該図面データＤｔｓに基づいて図面表示画面ｄｓ１に所定の縮尺で図面ｇｒｓを表示する。
【００４３】
また、黒板イメージ作成処理部Ｐｒ１３は、操作者によって選択された黒板デザインにおける後述される黒板枠としてのレイアウト枠Ｌｔ（図６）内に、工事名、日付等の工事情報を表す黒板データを書き込むことによって、後述される黒板イメージＢｍ（図６）を作成する。
【００４４】
そして、工事写真作成処理部Ｐｒ１４は、操作者が、電子カメラ４５を操作し、建築現場に設定された確認ポイントの映像の上に黒板イメージＢｍを重ねて確認対象物を撮影すると、確認対象物の写真及び黒板イメージＢｍから成る工事写真を作成する。
【００４５】
前記ＲＡＭ３４は、ＣＰＵ３１が各種の処理を行う際にデータを一時的に記録するバッファとして機能するとともに、ＣＰＵ３１が各種の処理を行う際のワーキングメモリとして機能する。
【００４６】
前記通信部３５は、タブレット装置１１をネットワークＮｔに接続するための通信用インタフェースである。
【００４７】
なお、本実施の形態において、前記情報取得処理部Ｐｒ１１は、通信部３５を介して図面データＤｔｓを取得するようになっているが、ＵＳＢ（ＵＮＩＶＥＲＳＡＬ  ＳＥＲＩＡＬ  ＢＵＳ）メモリ等の半導体メモリを介して図面データＤｔｓを取得することができる。また、情報取得処理部Ｐｒ１１は、サーバ装置１２から図面データＤｔｓを取得するようになっているが、ネットワークＮｔを介して接続された図示されないパソコンから図面データＤｔｓを取得することができる。その場合、前記パソコンの記憶装置に図面データＤｔｉがあらかじめ記録される。
【００４８】
前記表示部３６は、タッチパネルで形成された液晶ディスプレイ等から成る表示デバイスであり、操作部３７の機能を有する。
【００４９】
前記操作部３７は、キーボード、マウス等から成る入力デバイスであり、操作者が操作部３７に配設されたボタン等を操作することによって、ＣＰＵ３１に所定の事項が入力される。
【００５０】
本実施の形態においては、前記表示部３６がタッチパネルで形成されているので、操作者は、表示部３６の図面表示画面ｄｓ１上の操作要素としてのキー等に操作媒体としての指でタッチすることによって、ＣＰＵ３１に所定の事項を入力することができる。例えば、操作者が図面表示画面ｄｓ１に表示された「選択キー（ボタン）」にタッチすると、前記表示部３６は、操作者がタッチした位置を所定のサンプリング周期でサンプリングし、リアルタイムでタッチパネル上の座標の位置の時間的変化を追跡し、指の動作を検出する。
【００５１】
例えば、表示部３６は、図面表示画面ｄｓ１に操作者がタッチしたまま指を移動させたときに、指のスライド動作を検出し、操作者が２本の指をタッチしたまま広げたときに、指のピンチ動作を検出し、操作者が指を弾いたときに、指のフリック動作を検出し、操作者がタッチパネルに短時間タッチしたときに、指のタップ動作を検出する。
【００５２】
前記電子カメラ４５は、撮像素子を備え、被写体、本実施の形態においては、確認対象物の写真を撮影するのに伴って、デジタルの画像データから成る写真データを生成するデジタルカメラである。操作者が、タブレット装置１１の所定の箇所に形成されたシャッタ（スイッチ）を押下するか、又はタッチパネル上に形成されたシャッタにタッチすると、電子カメラ４５によって写真が撮影される。
【００５３】
また、前記記憶装置４６は、例えば、ハードディスク、ＥＥＰＲＯＭ（ＥＬＥＣＴＯＲＩＣＡＬＬＹ  ＥＲＡＳＡＢＬＥ  ＰＲＯＧＲＡＭＭＡＢＬＥ  ＲＯＭ）等から成り、前述されたように、図面データ記憶部４８に図面データＤｔｓが、付属情報記憶部５０に付属情報が記録される。
【００５４】
次に、図面データＤｔｉについて説明する。
【００５５】
本実施の形態において、Ａ０判、Ａ１判等の大判の用紙に作成された元図をデータ化した図面データＤｔｉは、比較的高い解像度（密度）（６００〔ｄｐｉ〕又は４００〔ｄｐｉ〕）で図面データベースＤＢに記録される。
【００５６】
ここで、Ａ０判の元図の寸法は、縦が８４１〔ｍｍ〕、横が１１８９〔ｍｍ〕であるので、６００〔ｄｐｉ〕の解像度で図面データＤｔｉを作成すると、縦が１９８６６〔ドット〕、横が２８０８７〔ドット〕になり、これを面の画素数で表すと、約５億６千万〔ドット〕になり、非常に膨大なデータ量になる。
【００５７】
一方、タブレット装置１１の表示部３６に形成される図面表示画面ｄｓ１の寸法は、一般的に、縦が７８６〔ドット〕、横が１０２４〔ドット〕程度であり、面の画素数で表すと、７８万６千〔ドット〕になる。
【００５８】
したがって、表示部３６の図面表示画面ｄｓ１に表示される図面ｇｒｓは、図面データＤｔｓに対して約７００分の１の解像度で表示されることになる。そして、図面データＤｔｓをサーバ装置１２からタブレット装置１１に送信し、表示部３６の図面表示画面ｄｓ１に図面ｇｒｓを表示しようとすると、図面データ記憶部４８のメモリ容量等の制約から、表示に要する時間、すなわち、表示時間が長くなり、数〔秒〕から数十〔秒〕になってしまう。
【００５９】
ところで、建築現場の確認ポイントにおいて確認対象物について確認を行う際に、図面表示画面ｄｓ１に、必ずしも高い解像度で図面ｇｒｓを表示する必要はなく、１４０〔ｄｐｉ〕〜１５０〔ｄｐｉ〕程度の解像度があれば十分である。
【００６０】
また、表示部３６の図面表示画面ｄｓ１の寸法が、例えば、縦が７８６〔ドット〕であり、確認対象物について確認を行う際に、図面ｇｒｓについて６倍の倍率までの拡大が要求される場合、図面データＤｔｓの縦のサイズは、
７６８〔ドット〕×６＝４６０８〔ドット〕
あれば十分である。
【００６１】
これをＡ０判の用紙に作成された元図に当てはめると、元図の寸法は縦が８４１〔ｍｍ〕であるので、図面ｇｒｓの解像度は、
（（４６０８／８４１）×２５．４）≒１３９．２〔ｄｐｉ〕
になる。
【００６２】
すなわち、縦が７８６〔ドット〕程度の図面表示画面ｄｓ１に、縦のサイズが４６０８〔ドット〕の図面ｇｒｓを１３９．２〔ｄｐｉ〕の解像度で表示する場合、図面ｇｒｓの表示時間を十分に短くすることができる。
【００６３】
そこで、本実施の形態においては、前記図面表示処理部Ｐｒ１２が、サーバ装置１２から送信された図面データＤｔｓの解像度を６００〔ｄｐｉ〕から１５０〔ｄｐｉ〕に変更する処理を行い、変更後の解像度で図面ｇｒｓを表示するようになっている。
【００６４】
なお、タブレット装置１１の処理速度が高い場合は、解像度が、例えば、２００〔ｄｐｉ〕であっても表示時間を短くすることができる。すなわち、解像度の値は、タブレット装置１１の処理速度、図面ｇｒｓの拡大の倍率等によって決まる。
【００６５】
また、解像度を変更しても、図面表示画面ｄｓ１上の位置を図面データＤｔｓ上の位置に対応させて算出することができ、元図上の確認ポイントの位置に対応させて図面表示画面ｄｓ１上の確認ポイントの位置を設定することができる。
【００６６】
ところで、建築現場における作業の進捗状況を施工主に報告する場合、工事名、日付等の工事情報が記載された黒板を建築現場に設置し、黒板及び建築現場をカメラで撮影し、写真を他の書類と共に施工主に提出することが考えられるが、その場合、黒板を作成し、持ち運び、建築現場に設置したり、黒板及び建築現場を撮影したりする作業が煩わしい。
【００６７】
そこで、本実施の形態においては、黒板を電子化して表示部３６に黒板イメージＢｍを作成し、電子カメラ４５を起動して、確認ポイントの映像の上に黒板イメージＢｍを重ねて確認対象物を撮影し、確認対象物の写真及び黒板イメージＢｍから成る工事写真を作成するようにしている。
【００６８】
次に、黒板イメージＢｍを作成し、工事写真を作成する方法について説明する。
【００６９】
図４は本発明の第１の実施の形態におけるタブレット装置の動作を示すフローチャート、図５は本発明の第１の実施の形態における表示部に形成される図面表示画面の例を示す図、図６は本発明の第１の実施の形態における図面表示画面に形成された表示エリアの例を示す図、図７は本発明の第１の実施の形態における黒板イメージを作成する際の黒板イメージ作成画面の例を示す図、図８は本発明の第１の実施の形態における黒板データテーブルの例を示す図、図９は本発明の第１の実施の形態における工事写真撮影画面の例を示す図である。
【００７０】
図において、１１はタブレット装置、Ｆｒはフレームである。建築現場において、操作者は、例えば、図５及び７に示されるように、タブレット装置１１のフレームＦｒを左手で持ち、右手で図面表示画面ｄｓ１にタッチする。
【００７１】
タブレット装置１１がサーバ装置１２（図３）に接続されている状態で、操作者がタブレット装置１１のメニュー画面で図面表示を選択すると、前記情報取得処理部Ｐｒ１１（図１）は、サーバ装置１２の図面データベースＤＢから、図面データＤｔｉのうちの所定の図面データＤｔｓ及び該図面データＤｔｓに対応する付属情報を取得する。
【００７２】
そのために、操作者が所定の検索条件を入力してサーバ装置１２に建築現場の図面データＤｔｓの検索を指示すると、サーバ装置１２の前記図面管理処理部Ｐｒ１（図３）は、図面データベースＤＢにおいて図面データＤｔｉを検索し、検索条件が成立する図面データＤｔｓを出力し、図面データＤｔｓに対応する付属情報、本実施の形態においては、黒板情報と共にタブレット装置１１に送信する。
【００７３】
そして、前記情報取得処理部Ｐｒ１１は、サーバ装置１２から図面データＤｔｓ及び付属情報を取得すると、前記記憶装置４６の図面データ記憶部４８に図面データＤｔｓを記録し、付属情報記憶部５０に付属情報を記録する。
【００７４】
続いて、前記図面表示処理部Ｐｒ１２は、表示部３６に図面表示画面ｄｓ１を形成し、図面データ記憶部４８から図面データＤｔｓを読み出し、該図面データＤｔｓに基づいて図面表示画面ｄｓ１に図面ｇｒｓを表示する。
【００７５】
このとき、前記図面表示画面ｄｓ１には、縮尺表示部Ａｒ１、及びＸＹ座標による第１、第２のスケール表示部Ａｒ２、Ａｒ３が形成される。縮尺表示部Ａｒ１には、表示されている図面ｇｒｓの元図に対する図面表示用の縮尺、本実施の形態においては、「１／１００」が、第１のスケール表示部Ａｒ２には図面ｇｒｓのＸ軸方向のスケールが、第２のスケール表示部Ａｒ３には図面ｇｒｓのＹ軸方向のスケールが表示される。
【００７６】
次に、操作者が建築現場において工事写真を作成しようとする位置を前記図面ｇｒｓ上の対応する箇所にタッチすることによって選択すると、前記黒板イメージ作成処理部Ｐｒ１３は、図面表示画面ｄｓ１の所定の位置に、前記図面ｇｒｓに隣接させて、矩形の形状を有する一つ以上の、本実施の形態においては、二つの表示エリアＳｅｊ（ｊ＝１、２）を形成し、該表示エリアＳｅｊの所定の箇所、本実施の形態においては、左下隅のコーナ部分に矩形の形状を有する黒板区分Ｓａを、表示エリアＳｅｊにおける黒板区分Ｓａ以外の部分に映像区分Ｓｂを形成する。
【００７７】
前記黒板区分Ｓａは、黒板イメージＢｍを作成するための領域であり、映像区分Ｓｂは、操作者が工事写真を作成しようとする位置において確認対象物を撮影する際に、確認対象物の映像を表示するための領域である。
【００７８】
そして、操作者が表示エリアＳｅｊのうちの工事写真を作成しようとする表示エリア、例えば、表示エリアＳｅ１の黒板区分Ｓａにタッチすると、前記黒板イメージ作成処理部Ｐｒ１３は、表示部３６に、図７に示されるような黒板イメージ作成画面ｄｓ２を形成し、該黒板イメージ形成画面ｄｓ２に、黒板イメージ作成用の画像として図面ｇｒｓを表示するためのウインドウである図面表示部ｄｓａ、及び黒板イメージＢｍを作成するためのウインドウである黒板イメージ表示部ｄｓｂを形成する。
【００７９】
操作者が黒板イメージ表示部ｄｓｂの任意の箇所にタッチすると、黒板イメージ作成処理部Ｐｒ１３は、付属情報記憶部５０から黒板デザインテーブルを読み出し、黒板イメージ作成画面ｄｓ２に黒板デザインの一覧を表示する。そして、操作者が黒板デザインの一覧から所定の黒板デザインを選択すると、前記黒板イメージ作成処理部Ｐｒ１３は、黒板イメージ表示部ｄｓｂに、選択された黒板デザインに従って所定の書式で作成されたレイアウト枠Ｌｔを形成する。
【００８０】
図７に示される黒板デザインのレイアウト枠Ｌｔにおいては、７個の属性から成る黒板データを書き込むことができるようになっている。そのために、レイアウト枠Ｌｔに、「工事名」、「工種」、「位置」、「日付」、「コメント」、「図」及び「施工者」の各工事情報の名称を表す欄が形成されるとともに、各工事情報の名称を表す欄の横に、黒板データを書き込むための欄ＣＬａ〜ＣＬｋが形成される。
【００８１】
「工事名」は工事の名称であり、「工種」は工事の種類であり、「位置」は、黒板イメージ形成画面ｄｓ２においてＸＹ座標によって表される、工事写真を作成するために操作者が図面ｇｒｓ上でタッチした位置であり、「日付」は確認対象物を撮影した日付であり、「コメント」は確認ポイントにおける確認事項であり、「図」は、操作者が図面ｇｒｓ上でタッチした位置の近傍に設定された確認ポイントを表す第１、第２の画像であり、「図」における「コメント１」〜「コメント３」は、確認ポイントにおける確認対象物に関する注意事項であり、「施工者」は建築物を施工した者である。
【００８２】
操作者が黒板イメージ形成画面ｄｓ２の図面表示部ｄｓａに表示された図面ｇｒｓの所定の箇所をタッチすることによって選択すると、黒板イメージ作成処理部Ｐｒ１３は、付属情報記憶部５０の黒板データテーブルから各工事情報の名称に対応する属性を有する黒板データを読み出し、各欄ＣＬａ〜ＣＬｋに書き込む。
【００８３】
前記黒板データテーブルにおいては、図８に示されるように、属性の番号Ｎｏ．１〜Ｎｏ．６が付与され、各工事情報の名称と黒板データとが対応させて記録される。
【００８４】
この場合、黒板イメージ作成処理部Ｐｒ１３は、工事名「ＡＡＡ」を欄ＣＬａに、工種「ＢＢＢ」を欄ＣＬｂに、位置「ＣＣＣ」を欄ＣＬｃに、日付、すなわち、タブレット装置１１に設定された「ＤＡＴＥ」を欄ＣＬｄに、図、すなわち、所定の「ファイル名」の第１、第２の画像を欄ＣＬｆ、ＣＬｇに、施工者「ＤＤＤ」を欄ＣＬｋに書き込むとともに、コメント１〜コメント３、すなわち、建築現場において、操作者が確認対象物に関して入力した注意事項を欄ＣＬｈ〜ＣＬｊに書き込む。
【００８５】
このように、前記各欄ＣＬａ〜ＣＬｅ、ＣＬｈ〜ＣＬｋには、テキストデータから成り、文字で表される黒板データが書き込まれ、各欄ＣＬｆ、ＣＬｇには、ＣＡＤデータ、ＪＰＥＧデータ、ＰＤＦデータ等から成り、画像で表される黒板データが書き込まれる。
【００８６】
本実施の形態において、欄ＣＬｆに書き込まれる前記第１の画像は、図面表示部ｄｓａに表示された図面ｇｒｓにおいて、操作者がタッチした箇所に設定された確認ポイントを表す画像ｇｒｊ（ｊ＝１、２）に対応させて生成された要部図面ｇｒｊ’（ｊ＝１、２）、及び該要部図面ｇｒｊ’における特定箇所、本実施の形態においては、確認対象物を指示する指示符号としての矢印Ｍｊ（ｊ＝１、２）から成る。また、欄ＣＬｇに書き込まれる前記第２の画像は、前記要部図面ｇｒｊ’が図面ｇｒｓにおけるどの部分のものであるかを表し、図面ｇｒｓに対応させて生成された縮尺図面ｇｒｓ’から成る。第１、第２の画像は、画像ファイルとされ、前述されたように、それぞれファイル名が付与されて付属情報記憶部５０に記録される。
【００８７】
このようにして、黒板イメージＢｍが作成されると、工事写真作成処理部Ｐｒ１４は、黒板イメージ作成画面ｄｓ２に工事写真を作成するかどうかを問い合わせるメッセージを表示する。操作者が、電子カメラ４５を操作し、工事写真を作成する旨の指示を行うと、工事写真作成処理部Ｐｒ１４は、表示部３６に、図９に示されるような撮影画面としての工事写真撮影画面ｄｓ３を形成し、該工事写真撮影画面ｄｓ３の左下隅のコーナ部分に黒板イメージＢｍを表示する。
【００８８】
そして、操作者が、電子カメラ４５を確認ポイントに向け、確認ポイントの映像の上に黒板イメージＢｍを重ねてシャッタを押下し、確認対象物の写真を撮影すると、工事写真作成処理部Ｐｒ１４は、確認対象物の写真及び黒板イメージＢｍから成る工事写真を作成し、表示エリアＳｅｊに表示する。
【００８９】
続いて、工事写真作成処理部Ｐｒ１４は、工事写真のデータを、図面ｇｒｓ上で操作者がタッチした位置のＸＹ座標と対応させて付属情報記憶部５０に記録する。前記工事写真のデータは、ＪＰＥＧデータ、ビットマップデータ等から成る画像データである。
【００９０】
また、工事写真作成処理部Ｐｒ１４は、工事写真のデータをサーバ装置１２に送信し、確認ポイントの位置のＸＹ座標と対応させて図面データベースＤＢに記録する。
【００９１】
次に、フローチャートについて説明する。
ステップＳ１  情報取得処理部Ｐｒ１１はサーバ装置１２から図面データＤｔｓ及び付属情報を取得する。
ステップＳ２  図面表示処理部Ｐｒ１２は図面表示画面ｄｓ１に図面ｇｒｓを表示する。
ステップＳ３  操作者が工事写真を作成しようとする位置を選択する。
ステップＳ４  操作者が黒板デザインを選択する。
ステップＳ５  黒板イメージ作成処理部Ｐｒ１３は各欄ＣＬａ〜ＣＬｋに黒板データを書き込む。
ステップＳ６  操作者が確認ポイントの映像の上に黒板イメージＢｍを重ねてシャッタを押下する。
ステップＳ７  工事写真作成処理部Ｐｒ１４は工事写真を作成する。
ステップＳ８  工事写真作成処理部Ｐｒ１４は工事写真のデータを付属情報記憶部５０に記録する。
ステップＳ９  工事写真作成処理部Ｐｒ１４は工事写真のデータをサーバ装置１２に送信し、図面データベースＤＢに記録し、処理を終了する。
【００９２】
このように、本実施の形態においては、黒板イメージ作成画面ｄｓ２に形成されたレイアウト枠Ｌｔ内に、文字並びに要部図面ｇｒｊ’及び縮尺図面ｇｒｓ’を書き込むことができるので、建築現場において、黒板イメージＢｍに画像を容易に取り込むことができる。したがって、建築現場における作業の進捗状況を施工主に報告する際の作業を簡素化することができる。
【００９３】
本実施の形態においては、例えば、コメントとして「基礎鉄筋の確認」を欄ＣＬｅに書き込み、要部図面ｇｒｊ’を欄ＣＬｆに書き込み、要部図面ｇｒｊ’における確認対象物を矢印Ｍｊによって示し、要部図面ｇｒｊ’が建築現場のどの部分の図面であるかを表すために縮尺図面ｇｒｓ’を欄ＣＬｇに書き込むと、操作者は、黒板イメージＢｍに表示された工事情報、すなわち、黒板データに基づいて、工事写真が建築現場のどの確認対象物を撮影したものであるかを容易に認識することができる。したがって、工事写真を報告書等と共に提出することによって、建築現場における作業の進捗状況を施工主に詳細に報告することができる。
【００９４】
なお、工事写真は、作成後に加工することが困難であるので、一種のエビデンスとして機能する。
【００９５】
本実施の形態においては、欄ＣＬｆに書き込まれる前記第１の画像が、図面ｇｒｓにおける確認ポイントの領域の画像ｇｒｊに対応させて生成されるようになっているが、付属情報記憶部５０にあらかじめ記録された所定の画像ファイルを読み出し、第１の画像として欄ＣＬｆに書き込むことができる。
【００９６】
ところで、本実施の形態においては、建築現場においてあらかじめ確認ポイントが設定されていて、操作者が図面ｇｒｓ上でタッチした位置の近傍に設定された確認ポイントについて作成されている黒板データテーブルの黒板データに基づいて黒板イメージＢｍが作成されるようになっているが、建築現場においてあらかじめ確認ポイントが設定されていない場合に、操作者が図面ｇｒｓ上でタッチした位置に新たに確認ポイントを設定し、黒板イメージＢｍを作成することができる。
【００９７】
次に、操作者が図面ｇｒｓ上でタッチした位置に新たに確認ポイントを設定し、黒板イメージＢｍを作成するようにした本発明の第２の実施の形態について説明する。なお、第１の実施の形態と同じ構造を有するものについては、同じ符号を付与し、同じ構造を有することによる発明の効果については同実施の形態の効果を援用する。
【００９８】
図１０は本発明の第２の実施の形態におけるタブレット装置の動作を示すフローチャートである。
【００９９】
この場合、操作者が情報処理装置としての、かつ、端末装置としてのタブレット装置１１のメニュー画面で情報取得を選択すると、情報取得処理部Ｐｒ１１（図１）は、サーバ装置１２の図面データベースＤＢから、図面データＤｔｉのうちの所定の図面データＤｔｓ及び付属情報を取得する。そのために、サーバ装置１２の図面管理処理部Ｐｒ１（図３）は、図面データＤｔｓを出力し、図面データＤｔｓに対応する付属情報と共にタブレット装置１１に送信する。
【０１００】
そして、前記情報取得処理部Ｐｒ１１は、サーバ装置１２から図面データＤｔｓ及び付属情報を取得すると、第２の記憶媒体としての記憶装置４６の第１のデータ記憶部としての図面データ記憶部４８に図面データＤｔｓを記録し、第２のデータ記憶部としての付属情報記憶部５０に付属情報を記録する。
【０１０１】
本実施の形態において、付属情報は、黒板デザインテーブル、並びに工事名、工種、位置、日付、コメント及び施工者から成る工事情報である。
【０１０２】
続いて、前記図面表示処理部Ｐｒ１２は、表示部３６に図面表示画面ｄｓ１を形成し、図面データ記憶部４８から図面データＤｔｓを読み出し、該図面データＤｔｓに基づいて図面表示画面ｄｓ１に図面ｇｒｓを表示する。
【０１０３】
次に、操作者が建築現場において工事写真を作成しようとする位置を前記図面ｇｒｓ上の対応する箇所にタッチすることによって選択すると、前記黒板イメージ作成処理部Ｐｒ１３は、図面表示画面ｄｓ１の所定の位置に、前記図面ｇｒｓに隣接させて、矩形の形状を有する一つ以上の、本実施の形態においては、二つの表示エリアＳｅｊを形成し、該表示エリアＳｅｊの所定の箇所、本実施の形態においては、左下隅のコーナ部分に矩形の形状を有する黒板区分Ｓａを、表示エリアＳｅｊにおける黒板区分Ｓａ以外の部分に映像区分Ｓｂを形成する。
【０１０４】
続いて、前記黒板イメージ作成処理部Ｐｒ１３は、表示部３６に、図７に示されるような黒板イメージ作成画面ｄｓ２を形成し、該黒板イメージ形成画面ｄｓ２に図面表示部ｄｓａ及び黒板イメージ表示部ｄｓｂを形成する。
【０１０５】
そして、黒板イメージ作成処理部Ｐｒ１３は、付属情報記憶部５０から黒板デザインテーブルを読み出し、黒板イメージ作成画面ｄｓ２に黒板デザインの一覧を表示する。操作者が黒板デザインの一覧から所定の黒板デザインを選択すると、前記黒板イメージ作成処理部Ｐｒ１３は、黒板イメージ表示部ｄｓｂに黒板枠としてのレイアウト枠Ｌｔを形成する。
【０１０６】
次に、黒板イメージ作成処理部Ｐｒ１３は、工事名、工種、位置、日付、コメント、施工者、及びコメント１〜コメント３の文字で表される黒板データをレイアウト枠Ｌｔの欄ＣＬａ、ＣＬｂ、ＣＬｃ、ＣＬｄ、ＣＬｅ、ＣＬｈ、ＣＬｉ、ＣＬｊ、ＣＬｋに書き込む。
【０１０７】
続いて、黒板イメージ作成処理部Ｐｒ１３は、図面データＤｔｓに基づいて、図面表示画面ｄｓ１に表示された図面ｇｒｓにおいて操作者が図面ｇｒｓ上でタッチした位置の画像ｇｒｊ（ｊ＝１、２）に対応させて要部図面ｇｒｊ’を第１の画像として生成し、要部図面ｇｒｊ’における確認対象物を示す指示符号としての矢印Ｍｊを生成し、さらに、前記要部図面ｇｒｊ’が図面ｇｒｓにおけるどの部分の図面であるかを表す縮尺図面ｇｒｓ’を第２の画像として生成する。
【０１０８】
そして、黒板イメージ作成処理部Ｐｒ１３は、要部図面ｇｒｊ’を欄ＣＬｆに、縮尺図面ｇｒｓ’を欄ＣＬｇに書き込み、黒板イメージＢｍを作成する。
【０１０９】
このようにして、黒板イメージＢｍが作成されると、工事写真作成処理部Ｐｒ１４は、表示部３６に、図９に示されるような撮影画面としての工事写真撮影画面ｄｓ３を形成し、該工事写真撮影画面ｄｓ３の左下隅のコーナ部分に黒板イメージＢｍを表示する。
【０１１０】
そして、操作者が、撮像装置としての電子カメラ４５を確認ポイントに向け、確認ポイントの映像の上に黒板イメージＢｍを重ねてシャッタを押下すると、工事写真作成処理部Ｐｒ１４は、確認対象物の写真及び黒板イメージＢｍから成る工事写真を作成する。
【０１１１】
続いて、工事写真作成処理部Ｐｒ１４は、工事写真のデータを確認ポイントの位置のＸＹ座標と対応させて付属情報記憶部５０に記録する。
【０１１２】
また、工事写真作成処理部Ｐｒ１４は、工事写真のデータをサーバ装置１２に送信し、確認ポイントの位置のＸＹ座標と対応させて図面データベースＤＢに記録する。
【０１１３】
次に、フローチャートについて説明する。
ステップＳ１１  情報取得処理部Ｐｒ１１はサーバ装置１２から図面データＤｔｓ及び付属情報を取得する。
ステップＳ１２  図面表示処理部Ｐｒ１２は図面表示画面ｄｓ１に図面ｇｒｓを表示する。
ステップＳ１３  操作者が工事写真を作成しようとする位置を選択する。
ステップＳ１４  操作者が黒板デザインを選択する。
ステップＳ１５  黒板イメージ作成処理部Ｐｒ１３は文字で表される黒板データを書き込む。
ステップＳ１６  黒板イメージ作成処理部Ｐｒ１３は要部図面ｇｒｊ’及び縮尺図面ｇｒｓ’を生成する。
ステップＳ１７  黒板イメージ作成処理部Ｐｒ１３は要部図面ｇｒｊ’及び縮尺図面ｇｒｓ’を欄ＣＬｆ、ＣＬｇに書き込む。
ステップＳ１８  操作者が確認ポイントの映像の上に黒板イメージＢｍを重ねてシャッタを押下する。
ステップＳ１９  工事写真作成処理部Ｐｒ１４は工事写真を作成する。
ステップＳ２０  工事写真作成処理部Ｐｒ１４は工事写真のデータを付属情報記憶部５０に記録する。
ステップＳ２１  工事写真作成処理部Ｐｒ１４は工事写真のデータをサーバ装置１２に送信し、図面データベースＤＢに記録し、処理を終了する。
【０１１４】
このように、本実施の形態においては、建築現場においてあらかじめ確認ポイントが設定されていない場合でも、操作者が図面ｇｒｓ上でタッチした位置に新たに確認ポイントを設定し、黒板イメージＢｍを作成することができるので、建築現場の任意の作業箇所で工事写真を作成することができる。
【０１１５】
なお、本実施の形態においては、要部図面ｇｒｊ’を欄ＣＬｆに書き込むに当たり、操作者が確認ポイントの領域の画像ｇｒｊにタッチしたまま２本の指を広げたり、指を移動させたりすることによって、欄ＣＬｆに書き込まれる要部図面ｇｒｊ’のサイズを大きくしたり、位置を変更したりすることができる。
【０１１６】
また、本実施の形態においては、図面データＤｔｓに基づいて要部図面ｇｒｊ’及び縮尺図面ｇｒｓ’が生成されるようになっているが、例えば、イラスト等の画像データ、電子写真の画像データ、他のＣＡＤ等で作図した画像データ等に基づいて要部図面ｇｒｊ’及び縮尺図面ｇｒｓ’を生成することができる。
【０１１７】
そして、本実施の形態においては、工事写真のデータが付属情報記憶部５０に記録されるようになっているが、工事写真のデータと共に、要部図面ｇｒｊ’及び縮尺図面ｇｒｓ’の画像データを、それぞれファイル名を付与し、図面ｇｒｓ上で操作者がタッチした位置のＸＹ座標と対応させて付属情報記憶部５０に記録することができる。その場合、黒板イメージ作成処理部Ｐｒ１３は、図形データＤｔｓに基づいて要部図面ｇｒｊ’及び縮尺図面ｇｒｓ’を生成することなく、付属情報記憶部５０から要部図面ｇｒｊ’及び縮尺図面ｇｒｓ’の画像データを読み出し、黒板イメージＢｍを作成することができる。
【０１１８】
さらに、図面ｇｒｓ上で操作者がタッチした位置に指標として、例えば、ピンを表示し、要部図面ｇｒｊ’及び縮尺図面ｇｒｓ’の画像データをピンに対応させて付属情報記憶部５０に記録することができる。
【０１１９】
ところで、本実施の形態においては、操作者が図面ｇｒｓ上でタッチした位置に新たに確認ポイントが設定されるようになっているが、確認ポイントがあらかじめ設定されている確認箇所に指標としてのピンを表示し、表示エリアＳｅｊをピンに対応させて形成することができる。
【０１２０】
次に、確認ポイントが設定されている確認箇所にピンを表示するようにした本発明の第３の実施の形態について説明する。なお、第１の実施の形態と同じ構造を有するものについては、同じ符号を付与し、同じ構造を有することによる発明の効果については同実施の形態の効果を援用する。
【０１２１】
図１１は本発明の第３の実施の形態におけるタブレット装置の制御ブロック図、図１２は本発明の第３の実施の形態におけるタブレット装置の動作を示すフローチャート、図１３は本発明の第３の実施の形態における表示部に形成される図面表示画面の例を示す図である。
【０１２２】
この場合、制御部としてのＣＰＵ３１は、情報取得処理部Ｐｒ１１、図面表示処理部Ｐｒ１２、黒板イメージ作成処理部Ｐｒ１３、工事写真作成処理部Ｐｒ１４、指標表示処理部Ｐｒ１５等を備える。
【０１２３】
そして、第４の記憶部としてのＲＯＭ３３には、情報取得処理部Ｐｒ１１が情報取得処理を行うためのプログラム、図面表示処理部Ｐｒ１２が図面表示処理を行うためのプログラム、黒板イメージ作成処理部Ｐｒ１３が黒板イメージ作成処理を行うためのプログラム、工事写真作成処理部Ｐｒ１４が工事写真作成処理を行うためのプログラム、指標表示処理部Ｐｒ１５が指標表示処理を行うためのプログラム等が記録される。
【０１２４】
この場合、前記指標表示処理部Ｐｒ１５は、建築現場の確認箇所に対応させて図面ｇｒｓに設定された位置に、確認ポイントであることを表すために一つ以上の、本実施の形態においては、２個の指標としてのピンＰｊ（ｊ＝１、２）を表示する。なお、本実施の形態において、各ピンＰｊは白抜きの矢印から成り、矢印内に、ピンＰｊの番号を表す数字ｊ（ｊ＝１、２）が表示される。
【０１２５】
また、前記指標表示処理部Ｐｒ１５は、図面表示画面ｄｓ１の所定の位置に、各ピンＰｊに対応させて、かつ、図面ｇｒｓに隣接させて表示エリアＳｅｊを形成するとともに、各ピンＰｊと各表示エリアＳｅｊとを結ぶピン付属情報としての引出線Ｌｊ（ｊ＝１、２）を表示する。
【０１２６】
この場合、操作者が情報処理装置としての、かつ、端末装置としてのタブレット装置１１のメニュー画面で情報取得を選択すると、サーバ装置１２の情報取得処理部Ｐｒ１１は、図面データベースＤＢから、図面データＤｔｉのうちの所定の図面データＤｔｓ及び付属情報を取得する。そのために、サーバ装置１２の図面管理処理部Ｐｒ１（図３）は、図面データＤｔｓを出力し、図面データＤｔｓに対応する付属情報と共にタブレット装置１１に送信する。
【０１２７】
そして、前記情報取得処理部Ｐｒ１１は、サーバ装置１２から図面データＤｔｓ及び付属情報を取得すると、第２の記憶媒体としての記憶装置４６の第１のデータ記憶部としての図面データ記憶部４８に図面データＤｔｓを記録し、第２のデータ記憶部としての付属情報記憶部５０に付属情報を記録する。
【０１２８】
本実施の形態において、付属情報は、第１、第２の実施の形態において図面データベースＤＢに記録された工事写真のデータ、及び指標情報としてのピン情報である。該ピン情報は、各ピンＰｊの形状を表す形状データ、各ピンＰｊの図面ｇｒｓ上の位置を表す位置データ、各ピンＰｊの向きを表す向きデータ等から成る。
【０１２９】
続いて、前記図面表示処理部Ｐｒ１２は、表示部３６に図面表示画面ｄｓ１を形成し、図面データ記憶部４８から図面データＤｔｓを読み出し、該図面データＤｔｓに基づいて図面表示画面ｄｓ１に図面ｇｒｓを表示する。
【０１３０】
そして、前記指標表示処理部Ｐｒ１５は、付属情報記憶部５０からピン情報を読み出し、図面ｇｒｓにおける各確認ポイントが設定された位置にピンＰｊを表示する。また、前記指標表示処理部Ｐｒ１５は、図面表示画面ｄｓ１の所定の位置に、各ピンＰｊに対応させて、かつ、図面ｇｒｓに隣接させて表示エリアＳｅｊを形成するとともに、各ピンＰｊと各表示エリアＳｅｊとを引出線Ｌｊで結ぶ。
【０１３１】
そして、操作者が図面表示画面ｄｓ１に表示されている各ピンＰｊのうちの所定のピンを選択すると、前記情報取得処理部Ｐｒ１１は、サーバ装置１２の図面データベースＤＢに記録された、確認ポイントの位置に対応する工事写真のデータを取得する。
【０１３２】
続いて、工事写真作成処理部Ｐｒ１４は、各ピンＰｊに対応する表示エリアＳｅｊに工事写真のデータを書き込み、工事写真を表示し、黒板イメージＢｍを作成する。このとき、黒板イメージＢｍにおいて、各黒板データを選択的に表示することができる。
【０１３３】
次に、フローチャートについて説明する。
ステップＳ３１  情報取得処理部Ｐｒ１１はサーバ装置１２から図面データＤｔｓ及び付属情報を取得する。
ステップＳ３２  図面表示処理部Ｐｒ１２は図面表示画面ｄｓ１に図面ｇｒｓを表示する。
ステップＳ３３  操作者が図面表示画面ｄｓ１に表示されている所定のピンを選択する。
ステップＳ３４  工事写真作成処理部Ｐｒ１４は工事写真のデータを取得する。
ステップＳ３５  工事写真作成処理部Ｐｒ１４は表示エリアＳｅｊに工事写真を表示し、処理を終了する。
【０１３４】
このように、本実施の形態においては、操作者が図面表示画面ｄｓ１に表示されている各ピンＰｊのうちの所定のピンを選択すると、サーバ装置１２の図面データベースＤＢに記録された、確認ポイントに対応する工事写真のデータがタブレット装置１１に送信され、各ピンＰｊに対応する表示エリアＳｅｊに工事写真のデータが書き込まれ、工事写真が表示される。
【０１３５】
なお、本実施の形態においては、操作者が図面表示画面ｄｓ１に表示されている各ピンＰｊのうちの所定のピンを選択すると、前記情報取得処理部Ｐｒ１１によって、サーバ装置１２の図面データベースＤＢに記録された、確認ポイントの位置に対応する工事写真のデータが取得されるようになっているが、サーバ装置１２の図面データベースＤＢに記録された、すべての確認ポイントの位置に対応する工事写真のデータが取得されるようにすることができる。その場合、前記工事写真作成処理部Ｐｒ１４は、各ピンＰｊに対応するすべての表示エリアＳｅｊに工事写真のデータを書き込み、工事写真を作成する。
【０１３６】
前記各実施の形態においては、７個の属性から成る黒板データが黒板枠としてのレイアウト枠Ｌｔ（図６）に書き込まれるようになっているが、黒板データの属性の数を増減することができる。
【０１３７】
また、前記各実施の形態においては、前記表示エリアＳｅｊが、図４に示されるように、図面表示画面ｄｓ１上で図面ｇｒｓに隣接させて形成されるようになっているが、タブレット装置１１の画面の全体に一つの表示エリアだけを形成することができる。その場合、工事写真のサイズを大きくすることができるので、工事写真の視認性を高くすることができる。
【０１３８】
そして、前記各実施の形態においては、レイアウト枠Ｌｔに、「図」の黒板データを書き込むために二つの欄ＣＬｆ、ＣＬｇが形成されるようになっているが、「図」の黒板データを書き込むための欄の数を増減することができる。
【０１３９】
さらに、前記各実施の形態において、情報取得処理部Ｐｒ１１は、サーバ装置１２の図面データベースＤＢから図面データＤｔｓ及び対応する付属情報を取得するようになっているが、サーバ装置１２に接続された他のタブレット装置によって作成された黒板イメージＢｍ、工事写真のデータ等が図面データベースＤＢに記録されている場合、他のタブレット装置によって作成された黒板イメージＢｍ、工事写真のデータ等を取得することができる。
【０１４０】
なお、本発明は前記各実施の形態に限定されるものではなく、本発明の趣旨に基づいて種々変形させることが可能であり、それらを本発明の範囲から排除するものではない。
【符号の説明】
【０１４１】
１１    タブレット装置
３６    表示部
Ｂｍ    黒板イメージ
ｄｓ２    黒板イメージ作成画面
ｇｒｊ’    要部図面
ｇｒｓ’    縮尺図面
Ｌｔ    レイアウト枠
Ｐｒ１３    黒板イメージ作成処理部
【図１】
2019109596.tif 000003
【図２】
2019109596.tif 000004
【図３】
2019109596.tif 000005
【図４】
2019109596.tif 000006
【図５】
2019109596.tif 000007
【図６】
2019109596.tif 000008
【図７】
2019109596.tif 000009
【図８】
2019109596.tif 000010
【図９】
2019109596.tif 000011
【図１０】
2019109596.tif 000012
【図１１】
2019109596.tif 000013
【図１２】
2019109596.tif 000014
【図１３】
2019109596.tif 000015